(57)【要約】【課題】その食品らしさ以外の味覚をも向上させることができる食品保持部を備えた装置を提供する。【解決手段】飲料製造機には、飲料に向かって光を照射する発光部（５）が設けられている。発光部（５）から照射される光の色である照射色は、発光制御部（１０）にて決定される。発光制御部（１０）は、飲料の全体的な表色である対象物表色を決定する対象物表色決定部（１１）と、飲料に対する味覚の演出を決定する味覚演出決定部（１２）と、対象物表色および味覚の演出に基づいて照射色を決定する照射色決定部（１３）とを備える。照射色決定部（１３）は、対象物表色と照射色とが、Ｌ＊Ｃ＊ｈ表色系の色相角度（ｈ）において１０度以上異なるように照射色を決定する。【選択図】図１
2018186044.tif 000002
【特許請求の範囲】
【請求項１】
食品を保持する食品保持部と、
保持される食品に向けて光を照射する発光部と、
前記発光部の発光を制御する発光制御部と、を備え、
前記発光制御部は、
前記食品に対する味覚の演出を決定する味覚演出決定部と、
前記味覚演出決定部にて決定された味覚の演出の内容および前記食品の全体的な表色である対象物表色に基づいて、前記発光部から照射する光の色である照射色を決定する照射色決定部と、を備え、
前記照射色決定部は、前記対象物表色と前記照射色とが、Ｌ＊Ｃ＊ｈ表色系の色相角度（ｈ）において１０度以上異なるように、前記照射色を決定することを特徴とする食品保持部を備えた装置。
【請求項２】
前記対象物表色を、前記食品の全体的な表色を特定できる情報に基づいて決定する対象物表色決定部を備えることを特徴とする請求項１に記載の食品保持部を備えた装置。
【請求項３】
前記照射色決定部は、前記対象物表色のＬ＊Ｃ＊ｈ表色系の明度（Ｌ＊）が３０以上６０以下，彩度（Ｃ＊）が４０以上６０以下，色相角度（ｈ）が−２０度以上３０度未満の範囲内である場合、前記照射色のＬ＊Ｃ＊ｈ表色系の明度（Ｌ＊）が９０以上となるように前記照射色を決定することを特徴とする請求項１又は２に記載の食品保持部を備えた装置。
【請求項４】
前記照射色決定部は、前記対象物表色のＬ＊Ｃ＊ｈ表色系の明度（Ｌ＊）が３０以上６０以下，彩度（Ｃ＊）が４０以上６０以下，色相角度（ｈ）が３０度以上１１０度未満の範囲内である場合、Ｌ＊Ｃ＊ｈ表色系の明度（Ｌ＊）が９０以上となるように前記照射色を決定することを特徴とする請求項１又は２に記載の食品保持部を備えた装置。
【請求項５】
前記照射色決定部は、前記対象物表色のＬ＊Ｃ＊ｈ表色系の明度（Ｌ＊）が３０以上６０以下，彩度（Ｃ＊）が４０以上６０以下，色相角度（ｈ）が３０度以上１１０度未満の範囲内である場合、Ｌ＊Ｃ＊ｈ表色系の明度（Ｌ＊）が５０以上９０未満，彩度（Ｃ＊）が４０以上６０以下，色相角度（ｈ）が−２０度以上３０度未満または１１０度以上２００度未満の範囲内となるように前記照射色を決定することを特徴とする請求項１又は２に記載の食品保持部を備えた装置。
【請求項６】
前記照射色決定部は、前記対象物表色のＬ＊Ｃ＊ｈ表色系の明度（Ｌ＊）が３０以上６０以下，彩度（Ｃ＊）が４０以上６０以下，色相角度（ｈ）が１１０度以上２００度未満の範囲内である場合、Ｌ＊Ｃ＊ｈ表色系の明度（Ｌ＊）が９０以上となるように前記照射色を決定することを特徴とする請求項１又は２に記載の食品保持部を備えた装置。
【請求項７】
前記照射色決定部は、前記対象物表色のＬ＊Ｃ＊ｈ表色系の明度（Ｌ＊）が３０以上６０以下，彩度（Ｃ＊）が４０以上６０以下，色相角度（ｈ）が１１０度以上２００度未満の範囲内である場合、Ｌ＊Ｃ＊ｈ表色系の明度（Ｌ＊）が５０以上９０未満，彩度（Ｃ＊）が４０以上６０以下，色相角度（ｈ）が３０度以上１１０度未満の範囲内となるように前記照射色を決定することを特徴とする請求項１又は２に記載の食品保持部を備えた装置。
【請求項８】
前記照射色決定部は、前記対象物表色のＬ＊Ｃ＊ｈ表色系の明度（Ｌ＊）が３０以上６０以下，彩度（Ｃ＊）が４０以上６０以下，色相角度（ｈ）が２００度以上３４０度未満の範囲内である場合、Ｌ＊Ｃ＊ｈ表色系の明度（Ｌ＊）が９０以上となるように前記照射色を決定することを特徴とする請求項１又は２に記載の食品保持部を備えた装置。
【請求項９】
前記照射色決定部は、前記対象物表色のＬ＊Ｃ＊ｈ表色系の明度（Ｌ＊）が３０以上６０以下，彩度（Ｃ＊）が４０以上６０以下，色相角度（ｈ）が２００度以上３４０度未満の範囲内である場合、Ｌ＊Ｃ＊ｈ表色系の明度（Ｌ＊）が５０以上９０未満，彩度（Ｃ＊）が４０以上６０以下，色相角度（ｈ）が−２０度以上１１０度未満の範囲内となるように前記照射色を決定することを特徴とする請求項１又は２に記載の食品保持部を備えた装置。
【請求項１０】
前記照射色決定部は、前記対象物表色のＬ＊Ｃ＊ｈ表色系の明度（Ｌ＊）が３０以上６０以下，彩度（Ｃ＊）が１０以上４０以下，色相角度（ｈ）が３０度以上１１０度未満の範囲内である場合、Ｌ＊Ｃ＊ｈ表色系の明度（Ｌ＊）が９０以上となるように前記照射色を決定することを特徴とする請求項１又は２に記載の食品保持部を備えた装置。
【請求項１１】
前記照射色決定部は、前記対象物表色のＬ＊Ｃ＊ｈ表色系の明度（Ｌ＊）が３０以上６０以下，彩度（Ｃ＊）が１０以上４０以下，色相角度（ｈ）が３０度以上１１０度未満の範囲内である場合、Ｌ＊Ｃ＊ｈ表色系の明度（Ｌ＊）が５０以上９０未満，彩度（Ｃ＊）が４０以上６０以下，色相角度（ｈ）が−２０度以上１１０度未満の範囲内となるように前記照射色を決定することを特徴とする請求項１又は２に記載の食品保持部を備えた装置。
【請求項１２】
前記照射色決定部は、前記対象物表色のＬ＊Ｃ＊ｈ表色系の明度（Ｌ＊）が３０以上６０以下，彩度（Ｃ＊）が１０以上４０以下，色相角度（ｈ）が３０度以上１１０度未満の範囲内である場合、Ｌ＊Ｃ＊ｈ表色系の明度（Ｌ＊）が５０以上９０未満，彩度（Ｃ＊）が４０以上６０以下，色相角度（ｈ）が２００度以上３４０度未満の範囲内となるように前記照射色を決定することを特徴とする請求項１又は２に記載の食品保持部を備えた装置。
【請求項１３】
前記照射色決定部は、前記対象物表色のＬ＊Ｃ＊ｈ表色系の明度（Ｌ＊）が９０以上である場合、Ｌ＊Ｃ＊ｈ表色系の明度（Ｌ＊）が５０以上９０未満，彩度（Ｃ＊）が４０以上６０以下，色相角度（ｈ）が−２０度以上１１０度未満の範囲内となるように前記照射色を決定することを特徴とする請求項１又は２に記載の食品保持部を備えた装置。
【請求項１４】
前記照射色決定部は、前記対象物表色のＬ＊Ｃ＊ｈ表色系の明度（Ｌ＊）が９０以上である場合、Ｌ＊Ｃ＊ｈ表色系の明度（Ｌ＊）が５０以上９０未満，彩度（Ｃ＊）が４０以上６０以下，色相角度（ｈ）が１１０度以上３４０度未満の範囲内となるように前記照射色を決定することを特徴とする請求項１又は２に記載の食品保持部を備えた装置。
【請求項１５】
食品に光を照射しておいしさ感を向上させる食品のおいしさ感向上方法であって、
食品の全体的な表色によって決定され、Ｌ＊Ｃ＊ｈ表色系の色相角度（ｈ）が照射の対象の食品の全体的な表色に対して１０度以上異なる、食品に対する味覚を向上し得る特定の色の光を食品に照射することで食品のおいしさ感を向上させることを特徴とする食品のおいしさ感向上方法。
【発明の詳細な説明】
【技術分野】
【０００１】
本発明は、食品（飲料を含む）を保持する部位を備えた装置に関するものであり、業務用あるいは家庭用の冷蔵庫、冷凍庫、オーブン、電子レンジ、ジューサー、ミキサー、炊飯器・飲料サーバー・コーヒーメーカーなどのキッチン用電化製品や食品陳列用のショーケースなどを含む。
【背景技術】
【０００２】
食品に照明を行い見た目のよさや美味しさ感を向上させる技術として、さまざまなものが開示されている。例えば、特許文献１には、プロジェクタからの光の照射によって鮮肉、ニンジン、メロンなどの色を、記憶色を再現する方向で鮮やかにする装置が開示されている。特許文献２には、ショーケースの光源として白色ＬＥＤおよび赤色ＬＥＤを備え、該光源からの光を透光板を介して照射することで多様な演色性を得て、野菜などの青物をより青々しくみせたりリンゴやバナナをより鮮やかに見せたりする装置が開示されている。また、特許文献３や特許文献４には光源の演色性を増して例えば肉や魚などをより鮮やかに見せる構成が開示されている。
【先行技術文献】
【特許文献】
【０００３】
【特許文献１】特開２０１４−１１２５１３号公報
【特許文献２】特開２０１１−２４００１０号公報
【特許文献３】特開２０１５−１５３９４５号公報
【特許文献４】特開２０１２−１４２１６３号公報
【発明の概要】
【発明が解決しようとする課題】
【０００４】
しかしながら、上述のような従来技術においては、例えば鮮肉であれば肉らしさを強調する赤色系の光を照射するなど、その食品の見た目の色の鮮やかさをより際立たせることによって、見た目を良くしておいしさ感を演出するのみである。そのため、鮮やかさから想像できる「その食品らしさ」を向上させることによるおいしさ感の向上は図れても、甘さ感や、酸味感、コク感、さっぱり感など、「その食品らしさ以外の味覚」を向上させることはできない。
【０００５】
本発明は、その食品らしさ以外の味覚をも向上させることができる食品保持部を備えた装置を提供することを目的としている。
【課題を解決するための手段】
【０００６】
従来、食品の色相を変化させると、見た目のその食品らしさが損なわれ、それに伴いおいしさ感も損なわれると考えられている。このことは、例えば特許文献３、４における、色相を変化させると、色表現に満足できないことやくすみ（鮮やかさと逆方向の効果）が生じるなど、マイナス方向の効果についての開示からも明らかである。
【０００７】
本願発明者らは、鮮やかさ以外の手法で、その食品らしさ以外の味覚を向上させることを目的に鋭意検討を重ねた結果、食品の色相を変えることはおいしさ感を損なうといった従来の固定観念を打破し、敢えて、食品の色相を変化させる光を照射しても、見た目における食品らしさやおいしさ感を損なうことなく、甘さ感や、酸味感、コク感、さっぱり感など、その食品らしさ以外の味覚を向上し得る場合があることを発見し、本願発明を行うに至った。
【０００８】
上記の課題を解決するために、本発明の一態様に係る食品保持部を備えた装置は、食品を保持する食品保持部と、保持される食品に向けて光を照射する発光部と、前記発光部の発光を制御する発光制御部と、を備え、前記発光制御部は、前記食品に対する味覚の演出を決定する味覚演出決定部と、前記味覚演出決定部にて決定された味覚の演出の内容および前記食品の全体的な表色である対象物表色に基づいて、前記発光部から照射する光の色である照射色を決定する照射色決定部と、を備え、前記照射色決定部は、前記対象物表色と前記照射色とが、Ｌ＊Ｃ＊ｈ表色系の色相角度（ｈ）において１０度以上異なるように、前記照射色を決定することを特徴とする。
【発明の効果】
【０００９】
本発明の一態様によれば、甘さ感や、酸味感、コク感、さっぱり感など、その食品らしさ以外の味覚を向上させる得る食品保持部を備えた装置を提供できるといった効果を奏する。
【図面の簡単な説明】
【００１０】
【図１】本発明の第１の実施の形態に係る食品保持部を備えた装置としての飲料製造機の発光制御部を含む要部の構成を示すブロック図である。
【図２】上記飲料製造機の全体構成を示す概略図であり、（ａ）は正面、（ｂ）は側面を示す。
【図３】上記発光制御部の記憶部に格納されている調理メニュー情報と対象物表色情報とを関連付けたテーブルの一例を示す説明図である。
【図４】上記発光制御部の記憶部に格納されている対象物表色情報および味覚演出情報と照射色情報とを関連付けたテーブルの一例を示す説明図である。
【図５】上記飲料製造機の飲料排出部の周辺に取り付けられた発光部の発光域を示す概略図である。
【図６】対象物表色および照射色の色相角度の差と、食品への味覚的印象との関係を調べた結果を示す図であり、対象物表色として赤色系、橙色〜黄色系、緑色系、青色系、および茶色系のそれぞれについて示す。
【図７】赤色系の対象物に対する照射色と味覚的印象との関係を調べた結果を示す図である。
【図８】橙色〜黄色系の対象物に対する照射色と味覚的印象との関係を調べた結果を示す図である。
【図９】緑色系の対象物に対する照射色と味覚的印象との関係を調べた結果を示す図である。
【図１０】青色系の対象物に対する照射色と味覚的印象との関係を調べた結果を示す図である。
【図１１】茶色系の対象物に対する照射色と味覚的印象との関係を調べた結果を示す図である。
【図１２】白色系の対象物に対する照射色と味覚的印象との関係を調べた結果を示す図である。
【図１３】本発明の第１の実施の形態に係る飲料製造機の発光制御部を含む要部に関する変形例を示すブロック図である。
【図１４】本発明の第１の実施の形態に係る飲料製造機の発光制御部を含む要部に関する別の変形例を示すブロック図である。
【図１５】本発明の第１の実施の形態に係る飲料製造機の発光部の位置に関する変形例を示すブロック図である。
【図１６】本発明の第１の実施の形態に係る飲料製造機の発光部の位置に関する別の変形例を示すブロック図である。
【図１７】本発明の第１の実施の形態に係る飲料製造機の発光部の位置に関するさらに別の変形例を示すブロック図である。
【図１８】本発明の第２の実施の形態に係る食品保持部を備えた装置としての炊飯器の全体構成および発光部５の発光域を示す概略図である。
【図１９】本発明の第３の実施の形態に係る食品保持部を備えた装置としての冷蔵庫の全体構成および発光部５の発光域を示す概略図である。
【図２０】上記冷蔵庫の発光制御部を含む要部の構成を示すブロック図である。
【図２１】クロスモダリティ効果を説明する図である。
【発明を実施するための形態】
【００１１】
以下、図面を参照し、本発明の実施の形態を詳しく説明する。説明の便宜上、図中同一または相当部分には同一符号を付してその説明は繰り返さない。また、説明を分かりやすくするために、以下で参照する図面においては、構成が簡略化または模式化して示されたり、一部の構成部材が省略されたりしている。各図に示された構成部材間の寸法比も、必ずしも実際の寸法比を示すものではない。
【００１２】
［クロスモダリティ効果の概要］
まず、クロスモダリティ効果について説明する。クロスモダリティ効果とは、複数の感覚器官で得られた情報が脳に入り、脳が入ってきた情報と脳の中にある情報とを統合して判断する際に、複数の感覚器官の中の少なくとも１つが、通常とは異なる別の情報を取得することで、脳がこの別の情報をも統合し、別の情報が統合されなかった場合とは異なる判断を行うことである。通常とは異なる別の情報は、ユーザーに本来とは異なる感覚を与え、これが判断を異ならせる。
【００１３】
図２１は、クロスモダリティ効果を説明する図であり、（ａ）は、クロスモダリティ効果が発現していない場合を示し、（ｂ）は、クロスモダリティ効果が発現している場合を示す。
【００１４】
図２１の（ａ）に示すように、「未完熟のいちご」に対して、複数の感覚器官が、視覚、味覚、嗅覚、聴覚、触覚、温度感覚等の情報を得る。触れたり、食べたりできない状況では、「未完熟のいちご」より得られる情報は、視覚情報、嗅覚情報となる。脳は、得られた「未完熟のいちご」の視覚情報と嗅覚情報を脳の中の情報と統合して、「硬くて酸っぱそうないちご」と判断する。
【００１５】
一方、図２１の（ｂ）に示すように、複数の感覚器官の中の少なくとも１つに別の情報を取得させた場合、例えば、「未完熟のいちご」に対して白色の光を照射し、視覚情報に「つやつやした光沢」の情報をプラスで取得させると、その場合、同じ「未完熟のいちご」であっても、脳は、「瑞々しくておいしそうないちご」と、異なる判断をする。このとき、ユーザーに本来とは異なる「つやつやした感じ」が与えられ、これが判断を異ならせる。
【００１６】
また、例えば、「甘い匂い」を足して、嗅覚情報に「甘い匂い」の情報をプラスで取得させると、同じ「未完熟のいちご」であっても、脳は「甘くておいしそうないちご」と、異なる判断をする。このとき、ユーザーに本来とは異なる「甘い匂い」が与えられ、これが判断を異ならせる。
【００１７】
このように、複数の感覚器官の中の少なくとも１つに通常とは違う情報をプラスで取得させて、クロスモダリティ効果を発現させることで、脳が判断する「味のイメージ」を変えることができる。
【００１８】
［第１の実施の形態］
＜飲料製造機１の概要構成＞
本実施の形態に係る食品保持部を備えた装置としての飲料製造機１の概要について、図を用いて説明する。図２は、本実施の形態に係る飲料製造機１の全体構成を示す概略図であり、（ａ）は正面、（ｂ）は側面を示す。
【００１９】
図２の（ａ）（ｂ）に示すように、飲料製造機１は、飲料となる食材を保持する容器２を有している。容器２内には、食材を撹拌したり、混合したり、あるいは粉砕したりして食品としての飲料を製造する製造部（不図示）が配設されている。容器２の上面は開口されており、該開口より容器２内に食材が投入される。該開口には、容器２内の食材や飲料が飛散したりこぼれたりすること等を防ぐための蓋部６が設けられている。
【００２０】
製造された飲料（食品）は、容器２の内部と連通している飲料排出部３を介して排出される。飲料排出部３には排出口３ａが設けられると共に、排出口３ａに至る飲料（対象物）に光を照射する発光部５が配設されている。発光部５は、ＲＧＢフルカラーＬＥＤ光源を有し、多様な色を再現することができ、点灯時間、点滅パターン等を任意に変化させることができる。
【００２１】
容器２および飲料排出部３は、台座部４に支持されている。台座部４には、製造部を駆動するモータ（不図示）等が収容されると共に、ユーザーが飲料製造機１を操作するための操作部７が設けられている。なお、操作部７は、スイッチ式に限らず、タッチパネル式であっても良い。
【００２２】
図１は、飲料製造機１の発光制御部を含む要部の構成を示すブロック図である。飲料製造機１は、発光部５を制御する発光制御部１０を備えている。発光制御部１０は、製造部を駆動させるためのモータ等を制御する、飲料製造機１の制御装置（不図示）に備えられていてもよいし、別に備えられていてもよい。
【００２３】
図１に示すように、発光制御部１０には、前述の操作部７からユーザーの指示が入力される。ここでは、操作部７から、調理メニューを示す指示と味覚演出の指示とが入力される。調理メニューは、例えば、「トマトジュース」、「グリーンジュース」、「ぶどうジュース」、「人参ジュース」、「コーンスープ」、「コーヒー」…などの製造可能な飲料の種類を示す。味覚演出は、調理メニュー毎に選択できる味覚に関わる演出の種類を示すオプションである。例えば、調理メニューが「グリーンジュース」である場合は、「さっぱり感」、「やわらか感」等の味覚演出を選択できる。
【００２４】
発光制御部１０は、発光部５が飲料排出部３を通る飲料に照射する光の色（以下、照射色）を決定する。照射色は、見た目における食品らしさやおいしさ感を損なうことなく、甘さ感や、酸味感、コク感、さっぱり感など、その食品らしさ以外の味覚をも向上し得る、飲料の色相を敢えて変化させる色である。このような飲料の色相を変化させる照射色は、各々の食品の全体的な表色によって決定され、食品に対する味覚を向上し得るＬ＊Ｃ＊ｈ表色系の色相角度（ｈ）が照射の対象の食品の全体的な表色に対して１０度以上異なる色である。なお、飲料の色相を敢えて変化させる照射色の詳細については後述する。
【００２５】
また、照射色には、飲料に照射されることで、見た目におけるその飲料らしさ（トマトジュースであればトマトジュースらしさ、グリーンジュースであればグリーンジュースらしさ）やおいしさ感を向上させる、従来からある、飲料の色相を変化させない色も含まれている。
【００２６】
発光制御部１０は、対象物表色決定部１１、味覚演出決定部１２、照射色決定部１３、および記憶部１４を有する。
【００２７】
対象物表色決定部１１は、照射の対象物である飲料の全体的な表色である対象物表色を決定する。対象物表色決定部１１は、飲料の全体的な表色である対象物表色を、飲料の全体的な表色を特定できる情報に基づいて決定する。本実施の形態では、対象物表色決定部１１は、操作部７から入力される調理メニューの指示を基に、記憶部１４を参照して飲料の全体的な表色（以下、対象物表色）を決定する。
【００２８】
記憶部１４には、対象物表色決定部１１が調理メニューの指示を基に対象物表色を決定するために必要なデータが格納されている。図３に、記憶部１４に格納されている調理メニュー情報と対象物表色情報とを関連付けたテーブルの一例を示す説明図である。図３に示すように、例えば、調理メニュー情報がトマトジュースであれば対象物表色は赤色、グリーンジュースであれば緑色、コーヒーであれば茶色というように対応付けられている。対象物表色決定部１１は、決定した対象物表色情報を照射色決定部１３に送る。
【００２９】
味覚演出決定部１２は、飲料に対する味覚の演出を決定する。本実施の形態では、味覚演出決定部１２は、操作部７から入力される味覚演出の指示を基に飲料に対する味覚演出を決定する。味覚演出決定部１２は、決定した味覚演出情報を照射色決定部１３に送る。
【００３０】
照射色決定部１３は、対象物表色決定部１１より入力される対象物表色情報、および味覚演出決定部より入力される味覚演出情報を基に、発光部５の照射色を決定する。
【００３１】
記憶部１４には、照射色決定部１３が対象物表色情報と味覚演出情報とを基に照射色を決定するために必要なデータが格納されている。図４に、記憶部１４に格納されている対象物表色情報および味覚演出情報と照射色情報とを関連付けたテーブルの一例を示す説明図である。図４に示すように、対象物表色情報が「緑色」であれば、緑色に対して選択可能な味覚演出の「さっぱり感」と「やわらか感」のそれぞれに、照射色情報が対応付けられている。
【００３２】
照射色情報は、明度（Ｌ＊）、彩度（Ｃ＊）、色相角度（ｈ）からなるＬ＊Ｃ＊ｈ表色系にて表されている。「照射色」とは、発光部５によって放射される光が純白色の面に照射された場合の、その面における見た目上の明度、彩度、および色相の３つにより定義される色である。なお、以下、実施の形態の説明において、Ｌ＊Ｃ＊ｈ表色系における明度（Ｌ＊）は単に明度と記載し、彩度（Ｃ＊）は単に彩度、色相角度（ｈ）は単に色相角度と記載する。
【００３３】
例えば、「緑色」と「さっぱり感」との組み合わせの照射色１は、明度９０以上（上限１００）で、彩度は０以上６０以下（上限６０）、色相角度が３０度以上１１０度未満の範囲内となる色である。また、「緑色」と「やわらか感」との組み合わせの照射色２は、明度が５０以上９０未満で、彩度が４０以上６０以下（上限６０）、色相角度が３０度以上１１０度未満の範囲内となる色である。
【００３４】
また、「茶色」と「旨味感」との組み合わせの照射色Ｎ-３は、明度９０以上（上限１００）で、彩度は０以上６０以下（上限６０）、色相角度が−２０度以上３０度未満の範囲内となる色である。なお、照射色Ｎ−３は、明度９０以上（上限１００）で、彩度は０以上６０以下（上限６０）、色相角度が２００度以上３４０度未満の範囲内となる色としてもよい。「茶色」と「酸味感」との組み合わせの照射色Ｎ−２は、明度が５０以上９０未満で、彩度が４０以上６０以下（上限６０）、色相角度が−２０度以上３０度未満の範囲内となる色である。「茶色」と「深み感」との組み合わせの照射色Ｎ−１は、明度が５０以上９０未満で、彩度が４０以上６０以下（上限６０）、色相角度が２００度以上３４０度未満の範囲内となる色である。
【００３５】
なお、「茶色」と「甘さ感」との組み合わせの照射色Ｎは、明度が５０以上９０未満で、彩度が４０以上６０以下（上限６０）、色相角度が３０度以上１１０度未満の範囲内となる色である。色相３０度以上１１０度未満の範囲内は「茶色」であり同色系である。しかしながら、この場合も、対象物の茶色の色相（３０度以上１１０度未満の中の任意の１点）に対して１０以上の色相差を持たせることで、その食品らしさ以外の味覚を向上し得る。
【００３６】
＜飲料製造機１の詳細構成＞
飲料製造機１の詳細構成について図５を用いて説明する。図５は、飲料製造機１の飲料排出部３の周辺に取り付けられた発光部５の発光域を示す概略図である。発光部５は、飲料排出部３の外側に設置され、飲料排出部３の外側から発光部５の光源によって飲料排出部３内を照らすことができる。
【００３７】
ユーザーは、容器２に食材を入れ、操作部７において調理メニュー（食材の加工方法）を選択し、実行する。その際、操作部７からの入力に基づいて、発光制御部１０は、対象物表色および味覚演出を決定し、決定した対象物表色および味覚演出に基づく照射色を決定する。
【００３８】
その後、ユーザーは、製造した飲料を容器２から飲料排出部３を介して飲料を飲むための食器（不図示）に移す。飲料は飲料排出部３を通過する際に、発光部５の光源により、発光制御部１０において決定された照射色で照らされる。飲料を食器に注ぎ終わると、ユーザーは、食器に注がれた飲料を飲み、飲料の味や風味等を楽しむ。
【００３９】
飲料製造機１においては、この一連の動作の中で、ユーザーにクロスモダリティ効果を発現させる。つまり、飲料が持っている本来の色に加え、発光部５の光源の色を加えることで、ユーザーの脳での情報処理の際に、クロスモダリティ効果により、視覚情報とその他の感覚情報とが統合され、ユーザーは実際とは異なる感覚を認知することができる。
【００４０】
例えば、食材本来の色単体では、青臭そうに見えるホウレンソウジュースの場合、オレンジ色の光源を照らすことで、柔らかさ感や、さっぱり感、甘さ感などおいしさを味に付加できる。これは、ホウレンソウの緑色と光源のオレンジ色の視覚情報が脳で統合される際、クロスモダリティ効果が発現し、味覚としておいしさを認知することができるためである。
【００４１】
特に、本実施の形態においては、飲料製造機１の飲料排出部３の周辺に発光部５を配置することで、例えば、容器２や蓋部６に配置して、容器２内の飲料を照らすよりも強力なクロスモダリティ効果を得ることができる。製造した飲料を（飲料を飲むための）食器に注ぐ際、飲料がこぼれないように注意を払うため、飲料排出部３を凝視する傾向にある。飲料を飲む直前に飲料排出部３の周辺を凝視し、集中することで、ユーザーは、発光部５の光源からの光による視覚情報を他の感覚情報に阻害されることなく感受する。その結果、発光部５の影響度合いを大きくすることができ、強力なクロスモダリティ効果がもたらされる。
【００４２】
＜照射色の詳細＞
前記照射色の詳細について、図を用いて説明する。ここで、対象物表色および照射色の色の定義として、前述したように、Ｌ＊Ｃ＊ｈ表色系を用いている。
【００４３】
図６に、照射対象物である飲料として、表色の異なる５種を選び、各々の対象物表色の色相角度とこれに照射する照射色の色相角度との差（色相差）と、その際の飲み物（食品）への味覚的印象についての関係を調べた結果を示す。飲料としては、
・赤色系の代表としてトマトジュース
・橙色または黄色系の代表としてコーンスープ
・緑色系の代表としてグリーンジュース
・青色系の代表としてぶどうジュース
・茶色系の代表としてコーヒー
の５種について調べた。
【００４４】
ここでの調査実験は、被験者１２名に主観評価を行ったものである。色相以外の明度、彩度に関しては対象物表色と照射色では同条件としている。
【００４５】
また、上記５種の飲料については、同じ種類であっても、原材料の違い等で異なる表色に違いを網羅するべく、同色系でありながら表色の異なるいくつかのものについて実施している。上記５種類の飲料の表色の分布範囲は、概ね、
・トマトジュースの表色の分布範囲：明度３０以上６０以下，彩度４０以上６０以下、色相角度−２０度以上３０度未満
・コーンスープの表色の分布範囲：明度３０以上６０以下，彩度４０以上６０以下，色相角度３０度以上１１０度未満
・グリーンジュースの表色の分布範囲：明度３０以上６０以下，彩度４０以上６０以下，色相角度１１０度以上２００度未満
・ぶどうジュースの表色の分布範囲：明度３０以上６０以下，彩度４０以上６０以下，色相角度２００度以上３４０度未満
・コーヒーの表色の分布範囲：明度３０以上６０以下，彩度１０以上４０以下，色相角度３０度以上１１０度未満
とした。
【００４６】
図６に示すように、前記５種の飲料についてのいずれの場合についても、色相角度の差が１０度を超えたころから味覚の印象に差が表れる。例えば、トマトジュースの場合は、１０度を超えたころからやや甘みを感じる。コーンスープの場合は、１０度を超えたころからやや深みを感じ、１６度を超えると深みを感じる。グリーンジュースの場合は、１０度を超えたころから、ややさっぱりさを感じ、１６度を超えるとやわらかさを感じる。ぶどうジュースの場合は、１０度を超えたころからやや甘みを感じる。コーヒーの場合は、１０度を超えたころからやや酸味を感じる。
【００４７】
これらのことから、概ねどの色相の照射対象物であっても、色相角度の差が１０度を超えるとその対象物とは異なる味覚の印象を与えることがわかる。つまり、対象物表色における色相と照射色の色相との差である色相差が、少なくとも１０度以上異なるように、発光部５における照射色を決定することで、味覚的効果を付与することができる。
【００４８】
＜赤色系の表色に対する照射色＞
図７に、前述の調査実験にて、トマトジュースに対する照射色の明度、彩度および色相角度と味覚的印象との関係をさらに調査した結果を示す。図７において、味覚的印象として「×」を示したものは好意的な味覚を示さなかったものであり、「○」を示したものは何らかの好意的な味覚を示したものである。「○」については、どのような味覚的印象かについて、その概要についても図中に記載している。
【００４９】
図７に示すように、照射色の明度が９０以上（上限１００）の場合は、照射色の色相によらず味覚的印象として新鮮感が向上する。さらに、この場合、色相角度が１０度以上とすることで、新鮮感がより一層向上し好ましい。照射色の明度が５０以上９０未満の場合は色相により味覚が異なり、彩度が４０以上６０以下、色相角度が−２０度以上１１０度未満の範囲内であれば、トマトジュースらしさを味覚的に強調して感じる。それ以外については、概ね違和感があるなど好意的な味覚を示さない。
【００５０】
以上のように、赤色系の表色をもつ飲料、すなわち明度が３０以上６０以下、彩度が４０以上６０以下、色相角度が−２０度以上３０度未満の範囲内の表色である食品に対しては、照射色の明度が９０以上となる白に近い色の光であって、かつ、色相角度が１０度以上異なる光を照射することで、新鮮感のより一層の向上といった当該食品らしさ以外のさらなる好意的な味覚の付加を行うことができる。
【００５１】
＜橙色〜黄色系の表色に対する照射色＞
図８に、前述の調査実験にて、コーンスープに対する照射色の明度、彩度および色相角度と味覚的印象との関係をさらに調査した結果を示す。なお、この図における味覚的印象等の結果の記載の仕方は、図７と同じである。
【００５２】
図８に示すように、照射色の明度が９０以上の場合は、照射色の色相によらず味覚的印象としてコク感が向上する。さらに、この場合、色相角度が１０度以上とすることで、コク感がより一層向上し好ましい。照射色の明度が５０以上９０未満の場合は色相により味覚が異なり、彩度が４０以上６０以下、色相角度が−２０度以上３０度未満または１１０度以上２００度未満の範囲内であれば、濃さや深みなどを強調して感じる。彩度が４０以上６０以下、色相角度が３０度以上１１０度未満の範囲内であれば、コーンスープらしさを味覚的に強調して感じる。また、それ以外については概ね違和感があるなど好意的な味覚を示さない。
【００５３】
以上のように、橙色〜黄色系の表色をもつ飲料、すなわち明度が３０以上６０以下、彩度が４０以上６０以下、色相角度が３０度以上１１０度未満の範囲内の表色である食品に対しては、照射色の明度が９０以上となる白に近い色の光であって、かつ、色相角度が１０度以上異なる光を照射することで、コク感のより一層の向上といった当該食品らしさ以外のさらなる好意的な味覚の付加を行うことができることがわかる。また、照射色の明度が５０以上９０以下、彩度が４０以上６０以下、色相角度が−２０度以上３０度未満または１１０度以上２００度未満の範囲内となる光を照射することで、濃さ感や深み感の向上といった当該食品らしさ以外のさらなる好意的な味覚の付加を行うことができる。
【００５４】
＜緑色系の表色に対する照射色＞
図９に、前述の調査実験にて、グリーンジュースに対する照射色の明度、彩度および色相角度と味覚的印象との関係をさらに調査した結果を示す。この図における味覚的印象等の結果の記載の仕方は、図７と同じである。
【００５５】
図９に示すように、照射色の明度が９０以上の場合においては、照射色の色相によらず味覚的印象としてさっぱり感が向上する。さらに、この場合、色相角度が１０度以上とすることで、さっぱり感がより一層向上し好ましい。照射色の明度が５０以上９０未満の場合は色相により味覚が異なり、彩度が４０以上６０以下、色相角度が３０度以上１１０度未満の範囲内であれば、やわらか感を強調して感じる。また、それ以外については概ね違和感があるなど好意的な味覚を示さない。
【００５６】
以上のように、緑色系の表色をもつ飲料、すなわち明度が３０以上６０以下、彩度が４０以上６０以下、色相角度が１１０度以上２００度未満の範囲内の表色である食品に対しては、照射色の明度が９０以上となる白に近い色の光であって、かつ、色相角度が１０度以上異なる光を照射することで、さっぱり感のより一層の向上といった当該食品らしさ以外のさらなる好意的な味覚の付加を行うことができる。また、照射色の明度が５０以上９０度未満、彩度が４０以上６０以下、色相角度が３０度以上１１０度未満の範囲内となる光を照射することで、やわらか感の向上といった当該食品らしさ以外のさらなる好意的な味覚の付加を行うことができる。
【００５７】
＜青色系の表色に対する照射色＞
図１０に、前述の調査実験にて、ぶどうジュースに対する照射色の明度、彩度および色相角度と味覚的印象との関係をさらに調査した結果を示す。この図における味覚的印象等の結果の記載の仕方は、図７と同じである。
【００５８】
図１０に示すように、照射色の明度が９０以上の場合は、照射色の色相によらず味覚的印象として軽さ感が向上する。さらに、この場合、色相角度が１０度以上とすることで、軽さ感がより一層向上し好ましい。照射色の明度が５０以上９０未満の場合は色相により味覚が異なり、彩度が４０以上６０以下、色相角度が−２０度以上３０度未満の範囲内であれば、甘さ感を強調して感じる。また、彩度が４０以上６０以下、色相角度が３０度以上１１０度未満の範囲内であれば、やわらか感を強調して感じる。また、それ以外については概ね違和感があるなど好意的な味覚を示さない。
【００５９】
以上のように、青色系の表色をもつ飲料、すなわち明度が３０以上６０以下、彩度が４０以上６０以下、色相角度が２００度以上３４０度未満の範囲内の表色である食品に対しては、照射色の明度が９０以上となる白に近い色の光であって、かつ、色相角度が１０度以上異なる光を照射することで、軽さ感のより一層の向上といった当該食品らしさ以外のさらなる好意的な味覚の付加を行うことができる。また、照射色の明度が５０以上９０未満、彩度が４０以上６０以下、色相角度が−２０度以上３０度未満の範囲内となる光を照射することで、甘さ感の向上といった当該食品らしさ以外のさらなる好意的な味覚の付加を行うことができる。また、照射色の明度が５０以上９０度未満、彩度が４０以上６０以下、色相角度が３０度以上１１０度未満の範囲内となる光を照射することで、やわらか感の向上といった当該食品らしさ以外のさらなる好意的な味覚の付加を行うことができる。
【００６０】
＜茶色系の表色に対する照射色＞
図１１に、前述の調査実験にて、コーヒーに対する照射色の明度、彩度および色相角度と味覚的印象との関係をさらに調査した結果を示す。この図における味覚的印象等の結果の記載の仕方は、図７と同じである。
【００６１】
図１１に示すように、照射色の明度が９０以上の場合は、照射色の色相によらず味覚的印象として旨み感が向上する。さらに、この場合、色相角度が１０度以上とすることで、旨み感がより一層向上し好ましい。照射色の明度が５０以上９０未満の場合は色相により味覚が異なり、彩度が４０以上６０以下、色相角度が−２０度以上３０度未満の範囲内であれば、酸味感を強調して感じる。
【００６２】
また、彩度が４０以上６０以下、色相角度が３０度以上１１０度未満の範囲内であれば、甘さ感を強調して感じる。また、彩度が４０以上６０以下、色相角度が２００度以上３４０度未満の範囲内であれば、深み感を強調して感じる。また、それ以外については概ね違和感があるなど好意的な味覚を示さない。
【００６３】
以上のように、茶色系の表色をもつ飲料、すなわち明度が３０以上６０以下、彩度が１０以上４０以下、色相角度が３０度以上１１０度未満の範囲内の表色である食品に対しては、照射色の明度が９０以上となる白に近い色の光であって、かつ、色相角度が１０度以上異なる光を照射することで、旨み感のより一層の向上といった当該食品らしさ以外のさらなる好意的な味覚の付加を行うことができる。また、照射色の明度が５０以上９０未満、彩度が４０以上６０以下、色相角度が−２０度以上３０度未満の範囲内となる光を照射することで、酸味感の向上といった当該食品らしさ以外のさらなる好意的な味覚の付加を行うことができる。また、照射色の明度が５０以上９０未満、彩度が４０以上６０以下、色相角度が３０度以上１１０度未満の範囲内となる光を照射することで、甘さ感の向上といった当該食品らしさ以外のさらなる好意的な味覚の付加を行うことができる。また、照射色の明度が５０以上９０未満、彩度が４０以上６０以下、色相角度が２００度以上３４０度未満の範囲内となる光を照射することで、深み感の向上といった当該食品らしさ以外のさらなる好意的な味覚の付加を行うことができる。
【００６４】
＜白色系の表色に対する照射色＞
前述の調査実験と同様の調査実験を、白色系の代表としての牛乳について実施した。前述の調査実験同様、牛乳についても表色の異なるいくつかのものについて実施しており、それらは概ね明度が９０以上の範囲内に分布している。図１２に、牛乳に対する照射色の明度、彩度および色相角度と味覚的印象との関係をさらに調査した結果を示す。この図における味覚的印象等の結果の記載の仕方は、図７と同じである。
【００６５】
図１２に示すように、照射色の明度が９０以上の場合においては、照射色の色相によらず味覚的印象としてコク感が向上する。さらに、この場合、色相角度が１０度以上とすることで、コク感がより一層向上し好ましい。照射色の明度が５０以上９０未満の場合は色相により味覚が異なり、彩度が４０以上６０以下、色相角度が−２０度以上１１０度未満の範囲内であればコク感を強調して感じる。また、彩度が４０以上６０以下、色相角度が１１０度以上３４０度未満の範囲内であれば爽やかさ感を強調して感じる。また、それ以外については概ね違和感があるなど好意的な味覚を示さない。
【００６６】
以上のように、白色系の表色をもつ飲料、すなわち明度が９０以上の範囲内の表色である食品に対しては、照射色の明度が９０以上となる白に近い色の光であって、かつ、色相角度が１０度以上異なる光を照射する、あるいは、照射色の明度が５０以上９０未満、彩度が４０以上６０以下、色相角度が−２０度以上１１０度未満の範囲内となる光を照射することで、コク感の向上といった当該食品らしさ以外のさらなる好意的な味覚の付加を行うことができる。
【００６７】
また、照射色の明度が５０以上９０未満、彩度が４０以上６０以下、色相角度が１１０度以上３４０度未満の範囲内となる光を照射することで、爽やか感の向上といった当該食品らしさ以外のさらなる好意的な味覚の付加を行うことができる。
【００６８】
＜本実施の形態の変形例＞
（変形例１）
本実施の形態において、発光部５にはＲＧＢフルカラーＬＥＤ光源を備えた例を示したが、必ずしも光源はフルカラーである必要はない。例えば前述の＜茶色系の表色に対する照射色＞および図１１に記載の通り、茶色系の飲料（食品）においては、色相角度が１１０度以上２００度未満の緑色系の照射色については味覚の印象に好意的な影響を及ぼさない。そこで、飲料製造機１がコーヒーの調理に特化したコーヒーメーカーである場合、発光部５の光源は、色相角度が１１０度以上２００度未満の緑色系の色を発色しない構成であってもよい。
【００６９】
（変形例２）
本実施の形態においては、対象物表色決定部１１は、操作部７から入力される調理メニューの指示を基に対象物表色を決定する構成であった。しかしながら、対象物表色の決定に、必ずしも操作部７よる指示が伴う必要はない。
【００７０】
例えば図１３に示すブロック図のように、飲料製造機１にカメラ部２０を備えさせて、飲料（対象物）の画像（対象物画像）を取り込み、その画像情報から対象物表色決定部１１にて対象物表色の決定を行う構成であっても良い。図１３は、飲料製造機１の発光制御部１０を含む要部に関する変形例を示すブロック図である。
【００７１】
（変形例３）
本実施の形態においては、味覚演出決定部１２は、操作部７から入力される味覚演出の指示を基に飲料に対する味覚演出を決定する構成であった。しかしながら、味覚演出の決定に、必ずしも操作部７よる指示が伴う必要はない。
【００７２】
例えば図１４に示すブロック図のように、調理メニューの指示が味覚演出決定部１２にも入力する構成とし、味覚演出決定部１２が記憶部１４を参照して、調理メニューに応じて一意に決まる味覚演出情報を取得して決定する構成であってもよい。図１４は、飲料製造機１の発光制御部１０を含む要部に関する変形例を示すブロック図である。
【００７３】
この場合、記憶部１４には、調理メニュー情報に対応付けた味覚演出情報が一意に格納される。例えば、前述の＜青色系の表色に対する照射色＞のぶどうジュースの例では、ぶどうジュースの味覚演出として「甘さ感向上」を対応付ける。この場合、ぶどうジュースの調理が選択されると、味覚演出は「甘さ感向上」に決定される。
【００７４】
また、発光制御部１０に、日時を示す日時情報を生成するクロック部２２を備えさせ、日時情報に応じて味覚演出決定部１２にて味覚の演出を決定する構成としてもよい。例えば、前述のぶどうジュースの例では、ぶどうジュースの味覚演出として、朝の時間帯は「甘さ感向上」、夜の時間帯は「やわらかさ感向上」を対応付ける。この場合、ぶどうジュースの調理が選択された場合、朝の時間帯であれば味覚演出は「甘さ感向上」に決定され、夜の時間帯であれば味覚演出は「やわらかさ感向上」に決定される。
【００７５】
また、図１４に示すブロック図の飲料製造機１が、例えば前述のコーヒーメーカーのような場合においては、対象物表色は自ずと決定される。そのため、コーヒーメーカーのように、製造する飲料の色が一意に決まっている場合は、対象物表色決定部１１を省略することができる。その場合、操作部７よりなされる「調理開始」の指示情報を照射色決定部１３に入力させればよい。
【００７６】
（変形例４）
本実施の形態においては、対象物表色決定部１１が決定した対象物表色情報を照射色決定部１３に送り出す構成としている。しかしながら、対象物表色決定部１１が決定する対象物表色情報は、実際の表色情報（例えば表色座標系での色の情報）である必要は無く、例えば色の薄いアメリカンコーヒーと色の濃いブレンドコーヒーを同じ「コーヒー」というカテゴリ情報であってもよい。この場合、記憶部１４には、カテゴリ情報と味覚演出情報との組み合わせに対応付けて照射色が格納される。
【００７７】
（変形例５）
また、本実施の形態において、発光部５の設置位置を飲料製造機１における飲料排出部３としたが、必ずしもこの位置に限定される必要はない。例えば、図１５に示すよう飲料製造機１のように、飲料排出部３の先端部の排出口３ａに発光部５を設ける構成としてもよい。この場合、飲料を飲むための食器２５にて排出口からの飲料を受ける位置に向けて発光部５からの光を照射しても良い。このようにすることで、飲料製造機１の排出口３ａからの飲料排出時のみならず飲料を飲むための食器２５に飲料が溜まった状態においても、本発明の企図する効果を生じることができる。図１５は、本発明の第１の実施の形態に係る飲料製造機１の発光部５の位置に関する変形例を示すブロック図である。
【００７８】
（変形例６）
また、その他、例えば図１６、図１７に示すように、容器２の中もしくは容器２の蓋部６に発光部５を設けて、容器２内の食材に向けて光を照射する構成としてもよい。この場合は、食材加工途中の濁りや色ムラ等の好ましくない色への嫌悪感の緩和などの効果も併せて生じることができる。図１６、図１７は、本発明の第１の実施の形態に係る飲料製造機１の発光部５の位置に関する別の変形例を示すブロック図である。
【００７９】
［第２の実施の形態］
＜炊飯器３０の構成＞
本実施の形態に係る食品保持部を備えた装置としての炊飯器３０の概要について、図を用いて説明する。図１８は、本実施の形態に係る炊飯器３０の全体構成および発光部５の発光域を示す概略図である。
【００８０】
図１８に示すように、炊飯器３０は、内部に内釜３４がセットされる本体３１を有する。本体３１内にセットされた内釜３４内に、食材である米等が入れられて調理される。本体３１の上面は、蓋部３２にて塞がれるようになっている。蓋部３２は、本体３１の後部において、本体３１に対して開閉自在に設けられている。蓋部３２の内側には、内蓋３５が取り付けられており、該内蓋３５が内釜３４の蓋となる。また、蓋部３２の上面（外面）に、操作部３７が設けられている。
【００８１】
このような炊飯器３０において、発光部５は、蓋部３２の内側部分に取り付けられており、内釜３４内の食品に光を照射するようになっている。
【００８２】
ユーザーは、食材を入れた内釜３４を本体３１内にセットし、操作部３７において食材の加工方法である調理メニューおよび味覚演出のオプションを選択し、調理を実行する。その際、操作部３７からの入力に基づいて、炊飯器３０に備えられた発光制御部１０は、対象物表色および味覚演出を決定し、決定した対象物表色および味覚演出に基づく照射色を決定する。
【００８３】
例えば、白米を炊飯する場合、操作部３７にて調理メニューとして「白米」を、味覚演出として「コク感向上」を指示すると、該指示に基づいて発光制御部１０が発光部５による照射色の決定を行う。
【００８４】
炊飯器３０の場合、操作部３７からは、調理メニューとして、「白米」の他、「赤飯」、「炊き込みご飯」、「チキンライス」、「ビーフシチュー」、「クリームシチュー」…などを選択できる。味覚演出としては、例えば、調理メニューの「白米」に対して「コク感」「爽やか感」等を選択できる。
【００８５】
炊飯器３０に備えられた発光制御部１０の記憶部１４には、調理メニュー情報として、前述した飲料の種類に代えて、炊飯器３０で調理可能な料理の種類が格納され、炊飯器３０で調理可能な料理の種類に、対象物表色情報が対応付けられている。
【００８６】
調理終了後、蓋部３２を開けた際、発光部５の光源により発光制御部１０において決定された照射色で、内釜３４内の食品が照らされる。ユーザーは、内釜３４から食器に食品を移し替え、味や風味等を楽しむ。
【００８７】
前述した飲料製造機１と同様に、炊飯器３０においても、この一連の動作の中で、ユーザーにクロスモダリティ効果を発現させる。つまり、食品が持っている本来の色に加え、発光部５の光源の色を加えることで、ユーザーの脳での情報処理の際に、クロスモダリティ効果により、視覚情報とその他の感覚情報とが統合され、ユーザーは実際とは異なる感覚を認知することができる。例えば、白米の場合、赤色系や橙色系の光源を照らすことで、コク感などのおいしさを味に付加できる。これは、白米の白色と光源の赤色系や橙色系の色の視覚情報が脳で統合される際、クロスモダリティ効果が発現し、味覚としておいしさを認知することができるためである。
【００８８】
炊飯器３０の場合、特に、蓋部３２の内側に発光部５を設置することで、強力なクロスモダリティ効果を得ることができる。調理した食材を食器に移し替える際、食品がこぼれないようにと注意を払うため、内釜３４内を凝視する傾向がある。蓋部３２の内側に発光部５を設置すると、白米やシチューやスープ等の食品の表面の輝きが増し、光源の光の印象をより強めることができる。それを凝視し、集中することで、発光部５光源の視覚情報は他の感覚情報に阻害されることなく感受することができ、発光部の影響度合いを大きくすることができる。
【００８９】
＜照射色の詳細＞
照射色の詳細については第１の実施の形態に準じ、対象物となる食品の表色の明度、彩度および色相角度および光源からの照射色の明度、彩度および色相角度に応じて、前述した図６〜図１２記載の効果を得ることができる。
【００９０】
例えば、白米のように白色系の表色をもつ食品、すなわち明度が９０以上の範囲内の表色である食品について、照射色の明度が９０以上となる白に近い色の光であって、かつ、色相角度が１０度以上異なる光を照射する、あるいは、照射色の明度が５０以上９０未満、彩度が４０以上６０以下、色相角度が−２０度以上１１０度未満の範囲内となる光を照射することで、コク感の向上といった白米らしさ以外のさらなる好意的な味覚の付加を行うことができる。また、照射色の明度が５０以上９０未満、彩度が４０以上６０以下、色相角度が１１０度以上３４０度未満の範囲内となる光を照射することで爽やか感の向上といった白米らしさ以外のさらなる好意的な味覚の付加を行うことができる。
【００９１】
また、例えば、ビーフシチューのように茶色系の表色をもつ食品、すなわち明度が３０以上６０以下、彩度が１０以上４０以下、色相角度が３０度以上１１０度未満の範囲内の表色である食品について、照射色の明度が９０以上となる白に近い色の光であって、かつ、色相角度が１０度以上異なる光を照射する、光を照射することで、旨み感の向上といったビーフシチューらしさ以外のさらなる好意的な味覚の付加を行うことができる。
【００９２】
また、照射色の明度が５０以上９０未満、彩度が４０以上６０以下、色相角度が−２０度以上３０度未満の範囲内となる光を照射することで、酸味感の向上といったビーフシチューらしさ以外のさらなる好意的な味覚の付加を行うことができる。また、照射色の明度が５０以上９０未満、彩度が４０以上６０以下、色相角度が３０度以上１１０度未満の範囲内となる光を照射することで甘さ感の向上といったビーフシチューらしさ以外のさらなる好意的な味覚の付加を行うことができる。また、照射色の明度が５０以上９０未満、彩度が４０以上６０以下、色相角度が２００度以上３４０度未満の範囲内となる光を照射することで深み感の向上といったビーフシチューらしさ以外のさらなる好意的な味覚の付加を行うことができる。
【００９３】
＜本実施の形態の変形例＞
本実施の形態においても第１の実施の形態の＜変形例＞の記載に準じる。また、本実施の形態において、発光部５の設置位置を蓋部３２の内側部分とした例を示したが、必ずしもその位置に限定される必要はない。例えば本体３１の上部の縁部に発光部５を設け、内釜３４内に向けて光を照射させてもよい。この場合、蓋部３２の内側部分に設けた場合よりも食品の間近で光を照射するため、照射色が食品の色をより強くカバーする。これにより、ユーザーが嫌いもしくは苦手と感じている食品であっても、おいしい、食べたいと思える光源色を使用することにより食品の色をカムフラージュすることができる。
【００９４】
また、例えば内釜３４の底部に発光部５を設けて、内釜３４内の食品をその内部から照射する構成としても良い。この場合は、ユーザーから見て食品の奥から光を照射することで、光をぼかすことができ、食品全体に柔らかみのある光の効果を付加することができる。視覚的に柔らかな印象を与えることで、マイルドさ、おいしさ、温かみといった味に関する効果を強調して実現することができる。
【００９５】
［第３の実施の形態］
＜冷蔵庫４０の構成＞
本実施の形態に係る食品保持部を備えた装置としての冷蔵庫４０の概要について、図を用いて説明する。図１９は、本実施の形態に係る冷蔵庫４０の全体構成および発光部５の発光域を示す概略図である。
【００９６】
図１９に示すように、冷蔵庫４０は、庫内４４に食材を冷蔵保管する本体４１を有する。本体３１の正面は、扉４２にて塞がれるようになっている。扉４２は、本体４１の左もしくは右側において、本体４１に対して開閉自在に設けられている。扉４２の外面には、操作部４７が設けられている。
【００９７】
庫内４４の奥壁に、庫内の明るさを確保し視認性を高める白色の庫内灯４５と、発光部５とが設置されている。また、発光部５からの光が照射される位置には、発光部５からの光の照射によって味覚演出を行いたい食品を載置する演出用載置部４６が設けられている。発光部５は、演出用載置部４６に載置された食品に光を照射する。
【００９８】
冷蔵庫４０においては、操作部４７から、調理メニューの指定に代えて、演出用載置部４６に載置された食品に応じて演出品設定を選択する。演出品設定としては、例えば、「トマトジュース」、「グリーンジュース」、「コーヒー」、「チョコレートケーキ」、などを選択できる。味覚演出としては、例えば、演出品設定の「グリーンジュース」に対して「さっぱり感」「やわらか感」等を選択できる。
【００９９】
図２０は、冷蔵庫４０の発光制御部１０を含む要部の構成を示すブロック図である。図２０に示すように、冷蔵庫４０においては、例えば、操作部４７から演出品設定を指示する。対象物表色決定部１１は、演出品設定情報から対象物表色の決定を行う。冷蔵庫４０に備えられた発光制御部１０の記憶部１４には、調理メニュー情報に代えて、演出用載置部４６に載置して演出することができる演出品設定情報に、対象物表色情報が対応付けられている。
【０１００】
図１９に、庫内４４の奥壁に取り付けられた庫内灯４５および発光部５の発光域を示す。庫内灯４５は、主に演出用載置部４６を避けた庫内４４全体を照明する。発光部５は上述したように、主に演出用載置部４６に光を照射する。扉４２を開けた際、庫内灯４５により演出用載置部４６を避けた庫内４４全体が照明され、発光部５の光源によって演出用載置部４６に載置された食品が照らされる。
【０１０１】
ユーザーは、演出用載置部４６に食品を置き、操作部４７においてその食品に対応した演出品設定および味覚演出のオプションを選択し、指定する。操作部４７からの入力に基づいて、冷蔵庫４０に備えられた発光制御部１０は、対象物表色および味覚演出を決定し、決定した対象物表色および味覚演出に基づく照射色を決定する。
【０１０２】
例えば、演出用載置部４６に載置する食品がグリーンジュースの場合、操作部４７にて演出品設定として「グリーンジュース」を、味覚演出として「やわらか感向上」を指示すると、該指示に基づいて発光制御部１０が発光部５による照射色の決定を行う。
【０１０３】
これにより、扉４２を開けた際に、演出用載置部４６に載置された「グリーンジュース」が、発光部５の光源により発光制御部１０において決定された照射色で、照らされる。ユーザーは、演出用載置部４６より食品を取り出し、味や風味等を楽しむ。
【０１０４】
前述した飲料製造機１、炊飯器３０と同様に、冷蔵庫４０においても、この一連の動作の中で、ユーザーにクロスモダリティ効果を発現させる。つまり、食品が持っている本来の色に加え、発光部５の光源の色を加えることで、ユーザーの脳での情報処理の際に、クロスモダリティ効果により、視覚情報とその他の感覚情報とが統合され、ユーザーは実際とは異なる感覚を認知することができる。例えば、グリーンジュースの場合、赤色系や橙色系の光源を照らすことで、やわらか感などのおいしさを味に付加できる。これは、グリーンジュースの緑色と光源の色の視覚情報が脳で統合される際、クロスモダリティ効果が発現し、味覚としておいしさを認知することができるためである。
【０１０５】
冷蔵庫４０の場合、特に、庫内４４の奥壁に発光部５を設置することで、強力なクロスモダリティ効果を得ることができる。食品を庫内から取り出すにあたり庫内４４を見まわす際、奥壁を注視する傾向がある。庫内４４の奥壁に発光部５を設置すると、食品に照射される光に加え、発光部５の光そのものを目で捉えるため、光源の光の印象をより強めることができる。それを凝視し、集中することで、発光部５の光源の視覚情報は他の感覚情報に阻害されることなく感受することができ、発光部５の影響度合いを大きくすることができる。
【０１０６】
＜照射色の詳細＞
照射色の詳細については第１の実施の形態に準じ、対象物となる食品の表色の明度、彩度および色相角度および光源からの照射色の明度、彩度および色相角度に応じて、前述した図６〜図１２記載の効果を得ることができる。
【０１０７】
例えば、コーンスープのように橙色もしくは黄色系の表色をもつ食品、すなわち明度が３０以上６０以下、彩度が４０以上６０以下、色相角度が３０度以上１１０度未満の範囲内の表色である飲料について、照射色の明度が９０以上となる白に近い色の光であって、かつ、色相角度が１０度以上異なる光を照射することで、コク感のより一層の向上といったコーンスープらしさ以外のさらなる好意的な味覚の付加を行うことができる。
【０１０８】
また、照射色の明度が５０以上９０未満、彩度が４０以上６０以下、色相角度が−２０度以上３０度未満または１１０度以上２００度未満の範囲内となる光を照射することで、濃さ感や深み感の向上とコーンスープらしさ以外のいったさらなる好意的な味覚の付加を行うことができる。
【０１０９】
また、例えば、グリーンジュースのように緑色系の表色を持つ食品、すなわち明度が３０以上６０以下、彩度が４０以上６０以下、色相角度が１１０度以上２００度未満の範囲内の表色である飲料について、照射色の明度が９０以上となる白に近い色の光であって、かつ、色相角度が１０度以上異なる光を照射することで、さっぱり感のより一層の向上といったグリーンジュースらしさ以外のさらなる好意的な味覚の付加を行うことができる。また、照射色の明度が５０以上９０未満、彩度が４０以上６０以下、色相角度が３０度以上１１０度未満の範囲内となる光を照射することで、やわらか感の向上といったグリーンジュースらしさ以外のさらなる好意的な味覚の付加を行うことができる。
【０１１０】
＜本実施の形態の変形例＞
本実施の形態においても第１の実施の形態の＜変形例＞の記載に準じる。発光部５の設置位置を庫内４４の奥壁部分としたが、必ずしもその位置に限定される必要はない。例えば庫内４４の天井壁に発光部５が設けられ、食品の上部から光を照射してもよい。この場合は食品全体を均等に照射できるため、特にユーザー側から見た食品の表色の印象のムラを押さえることができ、食品の形状などによる光の当たり方に伴う効果のブレを抑えることができる。
【０１１１】
また、庫内４４の側面壁に発光部５が設けられ、食品の側方向から光を照射してもよい。この場合は演出用載置部と発光部５とを近接させることができ、かつユーザー側から見て食品の前面（扉側）にも効果的に光を照射することができるため、照射色の効果の印象をより強めることができる。
【０１１２】
また、本実施の形態においては、扉４２を開けた時点で発光部５と庫内灯４５とを点灯する例を示したが、例えば扉４２を開けてしばらくの間（５秒間程度）は発光部５のみ点灯し、その後（５秒目以降）は庫内灯を点灯する、といった制御動作を行っても良い。この場合、庫内灯４５の発光域は必ずしも演出用載置部４６を避ける必要はなく、扉４２を開けた際の発光部５の点灯により、本発明が企図する効果を生じさせることができる。
【０１１３】
［その他の実施の形態］
第１から第３の実施の形態において、飲料製造機１、炊飯器３０、冷蔵庫４０の例を示したが、それに限らず、食品・飲料を保持する保持部を有し、そこに向けて光を照射する発光物を備えることができる装置であれば良く、例えば、電子レンジやオーブンなどの調理器でもよく、食品陳列用のショーケースなどであってもよく、ジュースサーバーやスープサーバー、コーヒーサーバーなどの飲料提供機であってもよい。
【０１１４】
〔まとめ〕
本発明の態様１に係る食品保持部を備えた装置（飲料製造機１、炊飯器３０、冷蔵庫４０）は、食品を保持する食品保持部（飲料排出部３、容器２、内釜３４、庫内４４）と、保持される食品に向けて光を照射する発光部５と、前記発光部５の発光を制御する発光制御部１０と、を備え、前記発光制御部１０は、前記食品に対する味覚の演出を決定する味覚演出決定部１２と、前記味覚演出決定部にて決定された味覚の演出の内容および前記食品の全体的な表色である対象物表色に基づいて、前記発光部５から照射する光の色である照射色を決定する照射色決定部１３と、を備え、前記照射色決定部１３は、前記対象物表色と前記照射色とが、Ｌ＊Ｃ＊ｈ表色系の色相角度（ｈ）において１０度以上異なるように、前記照射色を決定することを特徴とする。
【０１１５】
上記構成によれば、味覚演出決定部１２が、保持されている食品に対する味覚の演出を決定し、照射色決定部１３が、決定された味覚の演出の内容と食品の対象物表色とに基づいて発光部５の照射色を決定する。ここで照射色決定部１３は、食品の対象物表色と照射色とが、Ｌ＊Ｃ＊ｈ表色系の色相角度（ｈ）において１０度以上異なるように照射色を決定する。
【０１１６】
このように、食品の色相を変えることはおいしさ感を損なうといった従来の固定観念を打破し、敢えて、食品の色相を変化させる光を照射することで、見た目における食品らしさやおいしさ感を損なうことなく、甘さ感や、酸味感、コク感、さっぱり感など、その食品らしさ以外の味覚を向上することが可能となる。その食品らしさ以外の味覚を向上し得る照射色は、食品の対象物表色に応じて決まる。
【０１１７】
本発明の態様２に係る食品保持部を備えた装置は、さらに、前記対象物表色を、前記食品の全体的な表色を特定できる情報に基づいて決定する対象物表色決定部１１を備える構成である。
【０１１８】
上記構成によれば、対象物表色決定部１１が、食品の全体的な表色を特定できる情報に基づいて食品の対象物表色を決定するので、保持する食品の全体的な表色が固定されず、種々の表色の食品に対応した装置となる。
【０１１９】
本発明の態様３に係る食品保持部を備えた装置は、さらに、前記照射色決定部１３は、前記対象物表色のＬ＊Ｃ＊ｈ表色系の明度（Ｌ＊）が３０以上６０以下，彩度（Ｃ＊）が４０以上６０以下，色相角度（ｈ）が−２０度以上３０度未満の範囲内である場合、前記照射色のＬ＊Ｃ＊ｈ表色系の明度（Ｌ＊）が９０以上となるように前記照射色を決定する構成である。
【０１２０】
Ｌ＊Ｃ＊ｈ表色系の明度（Ｌ＊）が３０以上６０以下，彩度（Ｃ＊）が４０以上６０以下，色相角度（ｈ）が−２０度以上３０度未満の範囲内である赤色系の表色をもつ食品に対しては、明度（Ｌ＊）が９０以上となる白に近い色の光であって、かつ、色相角度が１０度以上異なる光を照射することで、例えば、新鮮感のより一層の向上といったその食品らしさ以外のさらなる好意的な味覚の付加を行うことができる。
【０１２１】
本発明の態様４に係る食品保持部を備えた装置は、さらに、前記照射色決定部１３は、前記対象物表色のＬ＊Ｃ＊ｈ表色系の明度（Ｌ＊）が３０以上６０以下，彩度（Ｃ＊）が４０以上６０以下，色相角度（ｈ）が３０度以上１１０度未満の範囲内である場合、Ｌ＊Ｃ＊ｈ表色系の明度（Ｌ＊）が９０以上となるように前記照射色を決定する構成である。
【０１２２】
Ｌ＊Ｃ＊ｈ表色系の明度（Ｌ＊）が３０以上６０以下，彩度（Ｃ＊）が４０以上６０以下，色相角度（ｈ）が３０度以上１１０度未満の範囲内である橙色〜黄色系の表色をもつ食品に対しては、明度（Ｌ＊）が９０以上となる白に近い色の光であって、かつ、色相角度が１０度以上異なる光を照射することで、例えば、コク感のより一層の向上といった、その食品らしさ以外のさらなる好意的な味覚の付加を行うことができる。
【０１２３】
本発明の態様５に係る食品保持部を備えた装置は、さらに、前記照射色決定部１３は、前記対象物表色のＬ＊Ｃ＊ｈ表色系の明度（Ｌ＊）が３０以上６０以下，彩度（Ｃ＊）が４０以上６０以下，色相角度（ｈ）が３０度以上１１０度未満の範囲内である場合、Ｌ＊Ｃ＊ｈ表色系の明度（Ｌ＊）が５０以上９０未満，彩度（Ｃ＊）が４０以上６０以下，色相角度（ｈ）が−２０度以上３０度未満または１１０度以上２００度未満の範囲内となるように前記照射色を決定する構成である。
【０１２４】
Ｌ＊Ｃ＊ｈ表色系の明度（Ｌ＊）が３０以上６０以下，彩度（Ｃ＊）が４０以上６０以下，色相角度（ｈ）が３０度以上１１０度未満の範囲内である橙色〜黄色系の表色をもつ食品に対しては、Ｌ＊Ｃ＊ｈ表色系の明度（Ｌ＊）が５０以上９０未満，彩度（Ｃ＊）が４０以上６０以下，色相角度（ｈ）が−２０度以上３０度未満または１１０度以上２００度未満の範囲内となる色の光を照射することで、例えば、濃さ感や深み感の向上といったその食品らしさ以外のさらなる好意的な味覚の付加を行うことができる。
【０１２５】
本発明の態様６に係る食品保持部を備えた装置は、さらに、前記照射色決定部１３は、前記対象物表色のＬ＊Ｃ＊ｈ表色系の明度（Ｌ＊）が３０以上６０以下，彩度（Ｃ＊）が４０以上６０以下，色相角度（ｈ）が１１０度以上２００度未満の範囲内である場合、Ｌ＊Ｃ＊ｈ表色系の明度（Ｌ＊）が９０以上となるように前記照射色を決定する構成である。
【０１２６】
Ｌ＊Ｃ＊ｈ表色系の明度（Ｌ＊）が３０以上６０以下，彩度（Ｃ＊）が４０以上６０以下，色相角度（ｈ）が１１０度以上２００度未満の範囲内である緑色系の表色をもつ食品に対しては、Ｌ＊Ｃ＊ｈ表色系の明度（Ｌ＊）が９０以上となる白に近い色の光であって、かつ、色相角度が１０度以上異なる光を照射することで、例えば、さっぱり感のより一層の向上といったその食品らしさ以外のさらなる好意的な味覚の付加を行うことができる。
【０１２７】
本発明の態様７に係る食品保持部を備えた装置は、さらに、前記照射色決定部１３は、前記対象物表色のＬ＊Ｃ＊ｈ表色系の明度（Ｌ＊）が３０以上６０以下，彩度（Ｃ＊）が４０以上６０以下，色相角度（ｈ）が１１０度以上２００度未満の範囲内である場合、Ｌ＊Ｃ＊ｈ表色系の明度（Ｌ＊）が５０以上９０未満，彩度（Ｃ＊）が４０以上６０以下，色相角度（ｈ）が３０度以上１１０度未満の範囲内となるように前記照射色を決定する構成である。
【０１２８】
Ｌ＊Ｃ＊ｈ表色系の明度（Ｌ＊）が３０以上６０以下，彩度（Ｃ＊）が４０以上６０以下，色相角度（ｈ）が１１０度以上２００度未満の範囲内である緑色系の表色をもつ食品に対しては、Ｌ＊Ｃ＊ｈ表色系の明度（Ｌ＊）が５０以上９０未満，彩度（Ｃ＊）が４０以上６０以下，色相角度（ｈ）が３０度以上１１０度未満の範囲内となる色の光を照射することで、例えば、やわらか感の向上といったその食品らしさ以外のさらなる好意的な味覚の付加を行うことができる。
【０１２９】
本発明の態様８に係る食品保持部を備えた装置は、さらに、前記照射色決定部１３は、前記対象物表色のＬ＊Ｃ＊ｈ表色系の明度（Ｌ＊）が３０以上６０以下，彩度（Ｃ＊）が４０以上６０以下，色相角度（ｈ）が２００度以上３４０度未満の範囲内である場合、Ｌ＊Ｃ＊ｈ表色系の明度（Ｌ＊）が９０以上となるように前記照射色を決定する構成である。
【０１３０】
Ｌ＊Ｃ＊ｈ表色系の明度（Ｌ＊）が３０以上６０以下，彩度（Ｃ＊）が４０以上６０以下，色相角度（ｈ）が２００度以上３４０度未満の範囲内である青色系の表色をもつ食品に対しては、Ｌ＊Ｃ＊ｈ表色系の明度（Ｌ＊）が９０以上となる白に近い色の光であって、かつ、色相角度が１０度以上異なる光を照射することで、例えば、軽さ感のより一層の向上といったその食品らしさ以外のさらなる好意的な味覚の付加を行うことができる。
【０１３１】
本発明の態様９に係る食品保持部を備えた装置は、さらに、前記照射色決定部１３は、前記対象物表色のＬ＊Ｃ＊ｈ表色系の明度（Ｌ＊）が３０以上６０以下，彩度（Ｃ＊）が４０以上６０以下，色相角度（ｈ）が２００度以上３４０度未満の範囲内である場合、Ｌ＊Ｃ＊ｈ表色系の明度（Ｌ＊）が５０以上９０未満，彩度（Ｃ＊）が４０以上６０以下，色相角度（ｈ）が−２０度以上１１０度未満の範囲内となるように前記照射色を決定する構成である。
【０１３２】
Ｌ＊Ｃ＊ｈ表色系の明度（Ｌ＊）が３０以上６０以下，彩度（Ｃ＊）が４０以上６０以下，色相角度（ｈ）が２００度以上３４０度未満の範囲内である青色系の表色をもつ食品に対しては、Ｌ＊Ｃ＊ｈ表色系の明度（Ｌ＊）が５０以上９０未満，彩度（Ｃ＊）が４０以上６０以下，色相角度（ｈ）が−２０度以上１１０度未満の範囲内となる色の光を照射することで、例えば、甘さ感ややわらか感の向上といったその食品らしさ以外のさらなる好意的な味覚の付加を行うことができる。
【０１３３】
本発明の態様１０に係る食品保持部を備えた装置は、さらに、前記照射色決定部１３は、前記対象物表色のＬ＊Ｃ＊ｈ表色系の明度（Ｌ＊）が３０以上６０以下，彩度（Ｃ＊）が１０以上４０以下，色相角度（ｈ）が３０度以上１１０度未満の範囲内である場合、Ｌ＊Ｃ＊ｈ表色系の明度（Ｌ＊）が９０以上となるように前記照射色を決定する構成である。
【０１３４】
Ｌ＊Ｃ＊ｈ表色系の明度（Ｌ＊）が３０以上６０以下，彩度（Ｃ＊）が１０以上４０以下，色相角度（ｈ）が３０度以上１１０度未満の範囲内である茶色系の表色をもつ食品に対しては、Ｌ＊Ｃ＊ｈ表色系の明度（Ｌ＊）が９０以上となる白に近い色の光であって、かつ、色相角度が１０度以上異なる光を照射することで、例えば、旨み感のより一層の向上といったその食品らしさ以外のさらなる好意的な味覚の付加を行うことができる。
【０１３５】
本発明の態様１１に係る食品保持部を備えた装置は、さらに、前記照射色決定部１３は、前記対象物表色のＬ＊Ｃ＊ｈ表色系の明度（Ｌ＊）が３０以上６０以下，彩度（Ｃ＊）が１０以上４０以下，色相角度（ｈ）が３０度以上１１０度未満の範囲内である場合、Ｌ＊Ｃ＊ｈ表色系の明度（Ｌ＊）が５０以上９０未満，彩度（Ｃ＊）が４０以上６０以下，色相角度（ｈ）が−２０度以上１１０度未満の範囲内となるように前記照射色を決定する構成である。
【０１３６】
Ｌ＊Ｃ＊ｈ表色系の明度（Ｌ＊）が３０以上６０以下，彩度（Ｃ＊）が１０以上４０以下，色相角度（ｈ）が３０度以上１１０度未満の範囲内である茶色系の表色をもつ食品に対しては、Ｌ＊Ｃ＊ｈ表色系の明度（Ｌ＊）が５０以上９０未満，彩度（Ｃ＊）が４０以上６０以下，色相角度（ｈ）が−２０度以上１１０度未満の範囲内となる色の光を照射することで、例えば、酸味感の向上や甘さ感の向上といったその食品らしさ以外のさらなる好意的な味覚の付加を行うことができる。
【０１３７】
本発明の態様１２に係る食品保持部を備えた装置は、さらに、前記照射色決定部１３は、前記対象物表色のＬ＊Ｃ＊ｈ表色系の明度（Ｌ＊）が３０以上６０以下，彩度（Ｃ＊）が１０以上４０以下，色相角度（ｈ）が３０度以上１１０度未満の範囲内である場合、Ｌ＊Ｃ＊ｈ表色系の明度（Ｌ＊）が５０以上９０未満，彩度（Ｃ＊）が４０以上６０以下，色相角度（ｈ）が２００度以上３４０度未満の範囲内となるように前記照射色を決定する構成である。
【０１３８】
Ｌ＊Ｃ＊ｈ表色系の明度（Ｌ＊）が３０以上６０以下，彩度（Ｃ＊）が１０以上４０以下，色相角度（ｈ）が３０度以上１１０度未満の範囲内である茶色系の表色をもつ食品に対しては、Ｌ＊Ｃ＊ｈ表色系の明度（Ｌ＊）が５０以上９０未満，彩度（Ｃ＊）が４０以上６０以下，色相角度（ｈ）が２００度以上３４０度未満の範囲内となる色の光を照射することで、例えば、深み感の向上いったその食品らしさ以外のさらなる好意的な味覚の付加を行うことができる。
【０１３９】
本発明の態様１３に係る食品保持部を備えた装置は、さらに、前記照射色決定部１３は、前記対象物表色のＬ＊Ｃ＊ｈ表色系の明度（Ｌ＊）が９０以上である場合、Ｌ＊Ｃ＊ｈ表色系の明度（Ｌ＊）が５０以上９０未満，彩度（Ｃ＊）が４０以上６０以下，色相角度（ｈ）が−２０度以上１１０度未満の範囲内となるように前記照射色を決定する構成である。
【０１４０】
対象物表色のＬ＊Ｃ＊ｈ表色系の明度（Ｌ＊）が９０以上である白色系の表色をもつ食品に対しては、Ｌ＊Ｃ＊ｈ表色系の明度（Ｌ＊）が５０以上９０未満，彩度（Ｃ＊）が４０以上６０以下，色相角度（ｈ）が−２０度以上１１０度未満の範囲内となる光を照射することで、例えば、コク感の向上といったその食品らしさ以外のさらなる好意的な味覚の付加を行うことができる。
【０１４１】
本発明の態様１４に係る食品保持部を備えた装置は、さらに、前記照射色決定部１３は、前記対象物表色のＬ＊Ｃ＊ｈ表色系の明度（Ｌ＊）が９０以上である場合、Ｌ＊Ｃ＊ｈ表色系の明度（Ｌ＊）が５０以上９０未満，彩度（Ｃ＊）が４０以上６０以下，色相角度（ｈ）が１１０度以上３４０度未満の範囲内となるように前記照射色を決定する構成である。
【０１４２】
対象物表色のＬ＊Ｃ＊ｈ表色系の明度（Ｌ＊）が９０以上である白色系の表色をもつ食品に対しては、Ｌ＊Ｃ＊ｈ表色系の明度（Ｌ＊）が５０以上９０未満，彩度（Ｃ＊）が４０以上６０以下，色相角度（ｈ）が１１０度以上３４０度未満の範囲内となる色の光を照射することで、例えば、爽やか感の向上といったその食品らしさ以外のさらなる好意的な味覚の付加を行うことができる。
【０１４３】
本発明の態様１５に係る食品のおいしさ感向上方法は、食品に光を照射しておいしさ感を向上させる食品のおいしさ感向上方法であって、食品の全体的な表色によって決定され、Ｌ＊Ｃ＊ｈ表色系の色相角度（ｈ）が照射の対象の食品の全体的な表色に対して１０度以上異なる、食品に対する味覚を向上し得る特定の色の光を食品に照射することで食品のおいしさ感を向上させることを特徴とする。
【０１４４】
食品の色相を変えることはおいしさ感を損なうといった従来の固定観念を打破し、敢えて、食品の色相を変化させる光を照射することで、見た目における食品らしさやおいしさ感を損なうことなく、甘さ感や、酸味感、コク感、さっぱり感など、その食品らしさ以外の味覚を向上することが可能となる。
【０１４５】
本発明は上述した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。さらに、各実施の形態にそれぞれ開示された技術的手段を組み合わせることにより、新しい技術的特徴を形成することができる。
【符号の説明】
【０１４６】
１  飲料製造機（食品保持部を備えた装置）
２  容器
３  飲料排出部（食品保持部）
３ａ  排出口
５  発光部
６、３２  蓋部
７、３７、４７  操作部
１０  発光制御部
１１  対象物表色決定部
１２  味覚演出決定部
１３  照射色決定部
１４  記憶部
２０  カメラ部
３０  炊飯器（食品保持部を備えた装置）
３１、４１本体（食品保持部）
３４  内釜（食品保持部）
３５  内蓋
４０  冷蔵庫（食品保持部を備えた装置）
４４  庫内
４５  庫内灯
４６  演出用載置部（食品保持部）
【図１】
2018186044.tif 000003
【図２】
2018186044.tif 000004
【図３】
2018186044.tif 000005
【図４】
2018186044.tif 000006
【図５】
2018186044.tif 000007
【図６】
2018186044.tif 000008
【図７】
2018186044.tif 000009
【図８】
2018186044.tif 000010
【図９】
2018186044.tif 000011
【図１０】
2018186044.tif 000012
【図１１】
2018186044.tif 000013
【図１２】
2018186044.tif 000014
【図１３】
2018186044.tif 000015
【図１４】
2018186044.tif 000016
【図１５】
2018186044.tif 000017
【図１６】
2018186044.tif 000018
【図１７】
2018186044.tif 000019
【図１８】
2018186044.tif 000020
【図１９】
2018186044.tif 000021
【図２０】
2018186044.tif 000022
【図２１】
2018186044.tif 000023